(57)【要約】【課題】監視作業を円滑に効率よく行うことができ、取扱い性、操作性にも優れた有線通信網の流合雑音監視を行う。【解決手段】複数のノードから送信される複数の高周波信号から一つを選択する信号切替手段１１０を、操作手段１２２から監視する一つ以上のノード群、及びノード群の監視順番を予め記憶手段１２４に登録し、指定制御手段１２３が、ノード群、及び監視順番に従い信号切替手段１１０に選択させる高周波信号の送信先であるノードを指定することにより、ユーザは、監視したいノード群のみを希望する順番で、そのノード群の流合雑音を監視する。【選択図】      図３
2004312409.tif 000002
【特許請求の範囲】
【請求項１】
ヘッドエンド側に設けられ、有線通信網上の複数のノードから送信される複数の高周波信号に含まれる流合雑音を監視する有線通信網流合雑音監視装置であって、
前記複数のノードから送信される複数の高周波信号から一つを選択する信号切替手段と、
前記信号切替手段により選択された高周波信号を観測する観測手段と、
前記信号切替手段に選択させる高周波信号の送信先であるノードを指定して、前記信号切替手段を制御する信号切替制御手段と、を有し、
前記信号切替制御手段は、
前記複数のノードから監視する一つ以上のノード群、及び該ノード群の監視順番がユーザ操作により入力される操作手段と、
前記操作手段により入力された前記ノード群、及び前記監視順番を記憶する記憶手段と、
前記記憶手段に記憶された前記ノード群、及び前記監視順番に従い、前記信号切替手段に選択させる高周波信号の送信先であるノードを指定する指定制御手段と、
を含むことを特徴とする有線通信網流合雑音監視装置。
【請求項２】
前記操作手段は、前記ノード群の前記監視順番に従い、前記信号切替手段に選択させる各ノードの監視時間をユーザ操作によりさらに入力され、
前記記憶手段は、前記操作手段から入力された前記監視時間をさらに記憶し、
前記指定制御手段は、前記信号切替手段に選択させる高周波信号の送信先であるノードを指定すると共に、前記監視時間をさらに指定し、
前記信号切替手段は、前記指定制御手段から指定された監視時間に従い、前記指定制御手段により指定されたノードからの高周波信号を選択する
ことを特徴とする請求項１記載の有線通信網流合雑音監視装置。
【請求項３】
前記信号切替制御手段は、
前記観測手段により観測された高周波信号の周波数スペクトル画像と、前記高周波信号の送信先であるノードのノード名称と、を重畳する画像重畳手段をさらに含み、
前記画像重畳手段により重畳されたノード名称付周波数スペクトル画像を表示する表示手段をさらに有し、
前記操作手段は、前記ノード名称を前記ユーザ操作により入力されるノードに対応して入力され、
前記記憶手段は、前記操作手段から入力されたノード名称をさらに記憶し、
前記指定制御手段は、前記信号切替手段に選択させる高周波信号の送信先であるノードを指定すると共に、該ノードに対応する前記ノード名称をさらに渡し、
前記信号切替手段は、前記指定制御手段により指定されたノードからの高周波信号を選択する際、前記指定制御手段から渡されたノード名称を画像重畳手段に送信する
ことを特徴とする請求項１または２記載の有線通信網流合雑音監視装置。
【請求項４】
ヘッドエンド側に設けられ、有線通信網上の複数のノードから送信される複数の高周波信号に含まれる流合雑音を監視する有線通信網流合雑音監視装置と、
前記ノード側に設けられ、前記有線通信網流合雑音監視装置を遠隔制御する遠隔制御装置と、を備え、
前記有線通信網流合雑音監視装置は、
前記複数のノードから送信される複数の高周波信号から一つを選択する信号切替手段と、
前記信号切替手段により選択された高周波信号を観測する観測手段と、
前記観測手段により観測された高周波信号の周波数スペクトル画像を、前記遠隔制御装置に前記有線通信網の第１の回線を使用して送信する画像送信手段と、
前記信号切替手段に選択させる高周波信号の送信先であるノードを指定して、前記信号切替手段を制御する信号切替制御手段と、
前記有線通信網流合雑音監視装置と前記遠隔監視装置との間の制御信号を前記有線通信網の第２の回線を使用して通信する第１の通信手段と、を有し、
前記遠隔制御装置は、
前記複数のノードから監視する一つ以上のノード群、及び該ノード群の監視順番がユーザ操作により入力される操作手段と、
前記操作手段により入力された前記ノード群、及び前記監視順番を前記制御信号に含めて、前記有線通信網の第２の回線及び前記第１の通信手段を介して前記信号切替制御手段に通信する第２の通信手段と、
前記画像送信手段により送信された周波数スペクトラム画像を受信する画像受信手段と、
前記画像受信手段により受信した周波数スペクトラム画像を表示する表示手段と、を有し、
前記信号切替制御手段は、
前記第１の通信手段を介して受信した制御信号に含まれる前記ノード群、及び前記監視順番を記憶する記憶手段と、
前記記憶手段に記憶された前記ノード群、及び前記監視順番に従い、前記信号切替手段に選択させる高周波信号の送信先であるノードを指定する指定制御手段と、を含む
ことを特徴とする有線通信網流合雑音監視システム。
【請求項５】
前記操作手段は、前記ノード群の前記監視順番に従い、前記信号切替手段に選択させる各ノードの監視時間をユーザ操作によりさらに入力され、
前記記憶手段は、前記操作手段から入力された前記監視時間をさらに記憶し、
前記指定制御手段は、前記信号切替手段に選択させる高周波信号の送信先であるノードを指定すると共に、前記監視時間をさらに指定し、
前記信号切替手段は、前記指定制御手段から指定された監視時間に従い、前記指定制御手段により指定されたノードからの高周波信号を選択する
ことを特徴とする請求項４記載の有線通信網流合雑音監視システム。
【請求項６】
前記信号切替制御手段は、
前記観測手段により観測された高周波信号の周波数スペクトル画像と、前記高周波信号の送信先であるノードのノード名称と、を重畳する画像重畳手段をさらに含み、
前記画像送信手段は、前記画像重畳手段により重畳されたノード名称付周波数スペクトル画像を、前記画像受信手段に前記第１の回線を使用して送信し、
前記表示手段は、前記画像受信手段により受信した前記ノード名称付周波数スペクトル画像を表示し、
前記操作手段は、前記ノード名称を前記ユーザ操作により入力されるノードに対応して入力され、
前記記憶手段は、前記操作手段から入力されたノード名称をさらに記憶し、
前記指定制御手段は、前記信号切替手段に選択させる高周波信号の送信先であるノードを指定すると共に、該ノードに対応する前記ノード名称をさらに渡し、
前記信号切替手段は、前記指定制御手段により指定されたノードからの高周波信号を選択する際、前記指定制御手段から渡されたノード名称を画像重畳手段に送信する
ことを特徴とする請求項４または５記載の有線通信網流合雑音監視システム。
【発明の詳細な説明】
【０００１】
【発明の属する技術分野】
本発明は、ＣＡＴＶ網等の有線通信網におけるノードからセンター局への上り信号に含まれる流合雑音を監視する有線通信網流合雑音監視装置、及び有線通信網流合雑音監視システムに関する。
【０００２】
【従来の技術】
双方向ケーブルテレビジョン網に代表されるツリー型またはハブ型接続の有線通信網においては、網の末端部すなわちノードからセンター局（ヘッドエンド）方向への通信において流合雑音と呼ばれる特有の雑音が存在する。これが通信を行う上で大きな障害となり、しばしば通信断を招く場合がある。
【０００３】
このような流合雑音を監視するための手段として、高周波切替器等のスイッチにより、スペクトラムアナライザへの入力信号の選択を複数のノードを順次切り替えて行う方式がある。
【０００４】
また、特許文献１は、複数の幹線からなる有線網の流合雑音を単一のスペクトラムアナライザでリアルタイムで記録することができる有線通信網流合雑音測定装置を開示する。
【０００５】
【特許文献１】
特開平１１−５５１６４号公報
【０００６】
【発明が解決しようとする課題】
しかしながら、上記前者の手法では、信号切替えの取扱い性、操作性に難があり、監視作業を円滑に行うことができないという問題がある。即ち、高周波切替器のみによる制御方式では、予め希望するノードのみを順次監視することができなく、監視時間（ノード切替えタイミング）を簡単に設定したり、変更したりすることもできない。さらに、操作時にターゲットとするノードを文字等で視覚的に把握（直感）することができない。即ち、周波数スペクトラム監視画面上（モニタ画面）にノード名が表示されないため、監視中のノードをリアルタイムで認識することができない。
【０００７】
また、特許文献１のように、信号合成をして周波数スペクトラムを表示させる手法では、帯域単位での流合雑音の発生の有無を認識することはできるが、ノード単位の流合雑音の発生の有無を認識することはできない。
【０００８】
本発明は、上記問題点に鑑みなされたものであり、監視作業を円滑に効率よく行うことができ、取扱い性、操作性にも優れた有線通信網流合雑音監視装置、及び有線通信網流合雑音監視システムを提供することを目的とする。
【０００９】
また、本発明は、流合雑音の監視、流合雑音の監視作業の設定を遠隔から行うことができる有線通信網流合雑音監視装置、及び有線通信網流合雑音監視システムを提供することを目的とする。
【００１０】
【課題を解決するための手段】
かかる目的を達成するために、請求項１記載の発明は、図１に示すように、ヘッドエンド側に設けられ、有線通信網上の複数のノードから送信される複数の高周波信号に含まれる流合雑音を監視する有線通信網流合雑音監視装置であって、前記複数のノードから送信される複数の高周波信号から一つを選択する信号切替手段１１０と、前記信号切替手段１１０により選択された高周波信号を観測する観測手段１３０と、前記信号切替手段１１０に選択させる高周波信号の送信先であるノードを指定して、前記信号切替手段１１０を制御する信号切替制御手段１２０と、を有し、前記信号切替制御手段１２０は、前記複数のノードから監視する一つ以上のノード群、及び該ノード群の監視順番がユーザ操作により入力される操作手段１２２と、前記操作手段１２２により入力された前記ノード群、及び前記監視順番を記憶する記憶手段１２４と、前記記憶手段１２４に記憶された前記ノード群、及び前記監視順番に従い、前記信号切替手段１１０に選択させる高周波信号の送信先であるノードを指定する指定制御手段１２３と、を含むことを特徴としている。
【００１１】
したがって、請求項１記載の発明によれば、複数のノードから送信される複数の高周波信号から一つを選択する信号切替手段１１０を、操作手段１２２から監視する一つ以上のノード群、及びノード群の監視順番を予め記憶手段１２４に登録し、指定制御手段１２３が、ノード群、及び監視順番に従い信号切替手段１１０に選択させる高周波信号の送信先であるノードを指定することにより、ユーザは、監視したいノード群のみを希望する順番で、そのノード群の流合雑音を監視することができ、監視作業を円滑に効率よく行うことができる。また、予め登録しておくことにより、監視作業中の操作も必要なく、取扱い性、操作性を向上させることができる。
【００１２】
請求項２記載の発明は、請求項１記載の発明において、前記操作手段１２２は、前記ノード群の前記監視順番に従い、前記信号切替手段１１０に選択させる各ノードの監視時間をユーザ操作によりさらに入力され、前記記憶手段１２４は、前記操作手段１２２から入力された前記監視時間をさらに記憶し、前記指定制御手段１２３は、前記信号切替手段１１０に選択させる高周波信号の送信先であるノードを指定すると共に、前記監視時間をさらに指定し、前記信号切替手段１１０は、前記指定制御手段１２３から指定された監視時間に従い、前記指定制御手段１２３により指定されたノードからの高周波信号を選択することを特徴としている。
【００１３】
したがって、請求項２記載の発明によれば、操作手段１２２から各ノードの監視時間を記憶手段１２４に登録し、指定制御手段１２３が信号切替手段１１０に選択させる高周波信号の送信先であるノードを指定すると共に、監視時間も指定することにより、ユーザは、監視したいノード群のみを希望する順番、及び監視時間（切替時間）でそのノード群の流合雑音を監視することができ、監視作業を円滑に効率よく行うことができる。例えば、重点的に監視したいノードの監視時間を長く、その他のノードの監視時間を短くといったような設定も可能である。
【００１４】
請求項３記載の発明は、請求項１または２記載の発明において、前記信号切替制御手段１２０は、前記観測手段１３０により観測された高周波信号の周波数スペクトル画像と、前記高周波信号の送信先であるノードのノード名称と、を重畳する画像重畳手段１２１をさらに含み、前記画像重畳手段１２１により重畳されたノード名称付周波数スペクトル画像を表示する表示手段１４０をさらに有し、前記操作手段１２２は、前記ノード名称を前記ユーザ操作により入力されるノードに対応して入力され、前記記憶手段１２４は、前記操作手段１２２から入力されたノード名称をさらに記憶し、前記指定制御手段１２３は、前記信号切替手段１１０に選択させる高周波信号の送信先であるノードを指定すると共に、該ノードに対応する前記ノード名称をさらに渡し、前記信号切替手段１１０は、前記指定制御手段１２３により指定されたノードからの高周波信号を選択する際、前記指定制御手段１２３から渡されたノード名称を画像重畳手段１２１に送信することを特徴としている。
【００１５】
したがって、請求項３記載の発明によれば、操作手段１２２からノード名称を記憶手段１２４に登録し、指定制御手段１２３が信号切替手段１１０に選択させる高周波信号の送信先であるノードを指定すると共に、ノードに対応するノード名称を渡し、信号切替手段１１０が指定されたノードからの高周波信号を選択する際、渡されたノード名称を画像重畳手段１２１に送信し、画像重畳手段１２１が、周波数スペクトル画像と、受信したノード名称とを重畳し、表示手段１４０が、ノード名称付周波数スペクトル画像を表示することにより、ユーザは、流合雑音を周波数スペクトル画像で監視する際、リアルタイムにどのノードのものかを認識することができ、ユーザインタフェースに優れた装置を提供することができる。
【００１６】
請求項４記載の発明は、図１に示すように、ヘッドエンド側に設けられ、有線通信網上の複数のノードから送信される複数の高周波信号に含まれる流合雑音を監視する有線通信網流合雑音監視装置１００と、前記ノード側に設けられ、前記有線通信網流合雑音監視装置１００を遠隔制御する遠隔制御装置２００と、を備え、前記有線通信網流合雑音監視装置１００は、前記複数のノードから送信される複数の高周波信号から一つを選択する信号切替手段１１０と、前記信号切替手段１１０により選択された高周波信号を観測する観測手段１３０と、前記観測手段１３０により観測された高周波信号の周波数スペクトル画像を、前記遠隔制御装置２００に前記有線通信網の第１の回線を使用して送信する画像送信手段１５０と、前記信号切替手段１１０に選択させる高周波信号の送信先であるノードを指定して、前記信号切替手段１１０を制御する信号切替制御手段１２０と、前記有線通信網流合雑音監視装置１００と前記遠隔監視装置２００との間の制御信号を前記有線通信網の第２の回線を使用して通信する第１の通信手段１６０と、を有し、前記遠隔制御装置２００は、前記複数のノードから監視する一つ以上のノード群、及び該ノード群の監視順番がユーザ操作により入力される操作手段２０２と、前記操作手段２０２により入力された前記ノード群、及び前記監視順番を前記制御信号に含めて、前記有線通信網の第２の回線及び前記第１の通信手段１６０を介して前記信号切替制御手段１２０に通信する第２の通信手段２０１と、前記画像送信手段１５０により送信された周波数スペクトラム画像を受信する画像受信手段２０３と、前記第画像受信手段２０３により受信した周波数スペクトラム画像を表示する表示手段２０４と、を有し、前記信号切替制御手段１２０は、前記第１の通信手段１６０を介して受信した制御信号に含まれる前記ノード群、及び前記監視順番を記憶する記憶手段１２４と、前記記憶手段１２４に記憶された前記ノード群、及び前記監視順番に従い、前記信号切替手段１１０に選択させる高周波信号の送信先であるノードを指定する指定制御手段１２３と、を含むことを特徴としている。
【００１７】
したがって、請求項４記載の発明によれば、ヘッドエンド側に設けられ、有線通信網上の複数のノードから送信される複数の高周波信号に含まれる流合雑音を監視する有線通信網流合雑音監視装置１００の記憶手段１２４に、ノード側に設けられ遠隔制御装置２００から有線通信網の第２の回線を利用して複数のノードから監視する一つ以上のノード群、及びノード群の監視順番を登録し、それに従って行った観測結果である周波数スペクトラム画像を有線通信網の第１の回線を利用して受信し表示することにより、ヘッドエンド側ではなく遠隔（ノード側）から、流合雑音の監視、流合雑音の監視作業の設定を行うことができる。
【００１８】
請求項５記載の発明は、請求項４記載の発明において、前記操作手段２０２は、前記ノード群の前記監視順番に従い、前記信号切替手段１１０に選択させる各ノードの監視時間をユーザ操作によりさらに入力され、前記記憶手段１２４は、前記操作手段２０２から入力された前記監視時間をさらに記憶し、前記指定制御手段１２３は、前記信号切替手段１１０に選択させる高周波信号の送信先であるノードを指定すると共に、前記監視時間をさらに指定し、前記信号切替手段１１０は、前記指定制御手段１２３から指定された監視時間に従い、前記指定制御手段１２３により指定されたノードからの高周波信号を選択することを特徴としている。
【００１９】
したがって、請求項５記載の発明によれば、操作手段２０２から各ノードの監視時間を記憶手段１２４に登録し、指定制御手段１２３が信号切替手段１１０に選択させる高周波信号の送信先であるノードを指定すると共に、監視時間も指定することにより、ユーザは、監視したいノード群のみを希望する順番、及び監視時間（切替時間）でそのノード群の流合雑音を監視することができ、遠隔からも監視作業を円滑に効率よく行うことができる。
【００２０】
請求項６記載の発明は、請求項４または５記載の発明において、前記信号切替制御手段１２０は、前記観測手段１３０により観測された高周波信号の周波数スペクトル画像と、前記高周波信号の送信先であるノードのノード名称と、を重畳する画像重畳手段１２１をさらに含み、前記画像送信手段１５０は、前記画像重畳手段１２１により重畳されたノード名称付周波数スペクトル画像を、前記画像受信手段２０３に前記第１の回線を使用して送信し、前記表示手段２０４は、前記画像受信手段２０３により受信した前記ノード名称付周波数スペクトル画像を表示し、前記操作手段２０２は、前記ノード名称を前記ユーザ操作により入力されるノードに対応して入力され、前記記憶手段１２４は、前記操作手段２０２から入力されたノード名称をさらに記憶し、前記指定制御手段１２３は、前記信号切替手段１１０に選択させる高周波信号の送信先であるノードを指定すると共に、該ノードに対応する前記ノード名称をさらに渡し、前記信号切替手段１１０は、前記指定制御手段１２３により指定されたノードからの高周波信号を選択する際、前記指定制御手段１２３から渡されたノード名称を画像重畳手段１２１に送信することを特徴としている。
【００２１】
したがって、請求項６記載の発明によれば、操作手段２０２からノード名称を記憶手段１２４に登録し、指定制御手段１２３が信号切替手段１１０に選択させる高周波信号の送信先であるノードを指定すると共に、ノードに対応するノード名称を渡し、信号切替手段１１０が指定されたノードからの高周波信号を選択する際、渡されたノード名称を画像重畳手段１２１に送信し、画像重畳手段１２１が、周波数スペクトル画像と、受信したノード名称とを重畳し、表示手段２０４が、画像送信手段１５０、第１の回線、及び画像受信手段２０３を介して受信したノード名称付周波数スペクトル画像を表示することにより、ユーザは、流合雑音を周波数スペクトル画像で監視する際、リアルタイムにどのノードのものかを認識することができ、ユーザインタフェースに優れた装置を提供することができる。
【００２２】
【発明の実施の形態】
以下、本発明の実施形態を添付図面を参照しながら詳細に説明する。
図１は、本発明の実施形態における有線通信網流合雑音監視システムの構成を示すブロック図である。以下の説明では、有線通信網がＣＡＴＶ（Ｃａｂｌｅ  Ｔｅｌｅｖｉｓｉｏｎ）網であることを前提に説明する。ＣＡＴＶ網のヘッドエンド側に設けられる有線通信網流合雑音監視装置１００は、信号切替器１１０、信号切替制御器１２０、スペクトラムアナライザ（Ｓｐｅｃｔｒｕｍ  ａｎａｌｙｚｅｒ）１３０、モニタ１４０、変調器１５０、及びモデム１６０を備える。
【００２３】
信号切替器１１０は、ＲＦ信号切替リレー１１１、ＣＰＵ１１２、記憶部１１３、及び通信ＩＦ回路１１４を備える。ＲＦ信号切替リレー１１１は、ＣＰＵ１１２からの指示により、ＣＡＴＶ網の各ノードからヘッドエンドへの上り回線から入力される複数のＲＦ信号の内の一つを選択し、スペクトラムアナライザ１３０に出力する。
【００２４】
ＣＰＵ１１２は、通信ＩＦ回路１１４、及び信号切替制御器１２０の通信ＩＦ回路１２８を介して画面重畳回路１２１に、ＲＦ信号切替リレー１１１により選択されているノードのノード名称を送信する。また、ＣＰＵ１１２は、通信ＩＦ回路１１４、及び信号切替制御器１２０の通信ＩＦ回路１２７を介してＣＰＵ１２３からノード名称等のノード情報を受信する。
【００２５】
ＣＰＵ１１２は、信号切替制御器１２０のＣＰＵ１２３から所定のノードのＲＦ信号を所定時間監視する命令を受信すると、当該ノードを指定された時間選択するようにＲＦ信号切替リレー１１１に指示する。同時に、当該ノードのノード名称を画面重畳回路１２１に送信する。
【００２６】
または、ＣＰＵ１２３から予めノード情報として、所定の監視順番で登録されたノード群のグループを受信し、記憶部１１３に記憶する。このノード情報には、各ノードの名称、グループの名称、各ノードの監視時間が含まれる。ＣＰＵ１１２は、信号切替制御器１２０のＣＰＵ１２３から上記グループの監視命令を受信すると、記憶部１１３から当該グループの監視順番にノード、及び当該ノードの監視時間を読み出し、当該ノードを指定された時間選択するようにＲＦ信号切替リレー１１１に指示する。同時に、当該ノードのノード名称を画面重畳回路１２１に送信する。
【００２７】
記憶部１１３は、ＣＰＵ１１２を動作させるプログラム、信号切替制御器１２０から受信したノード情報等を格納する。通信ＩＦ回路１１４は、信号切替制御器１２０の通信ＩＦ回路１２７、及び通信ＩＦ回路１２８と接続され、データの送受信を行う。
【００２８】
信号切替制御器１２０は、画面重畳回路１２１、タッチパネル操作部１２２、ＣＰＵ１２３、記憶部１２４、通信ＩＦ回路１２５、通信ＩＦ回路１２６、通信ＩＦ回路１２７、及び通信ＩＦ回路１２８を備え、信号切替器１１０を制御する。
【００２９】
画面重畳回路１２１は、スペクトラムアナライザ１３０から受信する周波数スペクトラム画像データを受信し、信号切替器１１０のＣＰＵ１１２からＲＦ信号切替リレー１１１が現在選択しているノードのノード名称を受信する。そして、受信した周波数スペクトラム画像の所定の位置に、受信したノード名称を重畳させる。重畳後のノード名称付き周波数スペクトラム画像データをモニタ１４０、及び変調器１５０に出力する。
【００３０】
タッチパネル操作部１２２は、メニュー等が表示されているディスプレイに、指やペンで直接触れることでポインティングする機器である。本実施形態において、ＣＡＴＶ網の管理者たるユーザは、タッチパネル操作部１２２を用いてノード情報の設定登録、ノード情報の変更、及び流合雑音の監視開始の指示等の操作を行う。タッチパネル操作部１２２により設定登録されたノード情報は、ＣＰＵ１２３に入力され、記憶部１２４に格納される。
【００３１】
ＣＰＵ１２３は、タッチパネル操作部１２２から入力されるノード情報を記憶部１２４に格納する。また、タッチパネル操作部１２２からグループの名称を指定しての流合雑音の監視開始の命令が入力されると、当該グループに属するノード群を記憶部１２４から読み出す。そして、当該グループに属するノード群から監視順番通りにノードの識別情報、ノードの名称、当該ノードの監視時間を通信ＩＦ回路１２７、及び信号切替器１１０の通信ＩＦ回路１１４を介してＣＰＵ１１２に送信する。また、これらのノード情報が信号切替器１１０の記憶部１１３に格納されている場合は、監視するグループを指定して流合雑音の監視開始の命令を信号切替器１１０のＣＰＵ１１２に送信する。
【００３２】
ＣＰＵ１２３は、通信ＩＦ回路１２６、モデム１６０、ＣＡＴＶ回線、及びモデム２０１を介して遠隔タッチパネル操作部２０２を制御する。遠隔タッチパネル操作部２０２からも、タッチパネル操作部１２２と同様に、ノード情報の設定登録、流合雑音の監視開始の命令が入力される。また、ＣＰＵ１２３は、通信ＩＦ回路１２５を介してスペクトラムアナライザ１３０と接続し、各種設定情報やステータス情報をやりとりする。
【００３３】
記憶部１２４は、ＣＰＵ１２３を動作させるプログラム、タッチパネル操作部１２２または遠隔タッチパネル操作部２０２から入力されたノード情報等を格納する。通信ＩＦ回路１２５は、スペクトラムアナライザ１３０と通信するためのインタフェースであり、ＧＰＩＢ（Ｇｅｎｅｒａｌ  Ｐｕｒｐｏｓｅ  Ｉｎｔｅｒｆａｃｅ  Ｂｕｓ）等のシリアルポートを用いてよいし、イーサネット（登録商標）ポートを用いて、イーサネット（登録商標）信号を送受信してもよい。
【００３４】
通信ＩＦ回路１２６は、モデム１６０と通信するためのインタフェースであり、ＲＳ２３２ｃ等のシリアルポートを用いる。通信ＩＦ回路１２７は、信号切替器１１０へノード情報を送信するための送信用インタフェースである。通信ＩＦ回路１２８は、信号切替器１１０からＲＦ信号切替リレー１１１が現在選択しているノードのノード名称を含む画面重畳指令を受信する受信用インタフェースである。
【００３５】
スペクトルアナライザ１３０は、高周波信号を周波数成分に分けて表示する計測器であり、縦軸に強度、横軸に周波数をとる。本実施形態においては、リアルタイムに表示できるスペクトルアナライザを用いる。スペクトルアナライザ１３０は、信号切替器１１０のＲＦ信号切替リレー１１１から入力されるＲＦ信号の波形データを例えば高速フーリエ変換して、ＲＦ信号の周波数スペクトラムを算出する。そして、算出した周波数スペクトラムを画像表示し、同時に画面重畳回路１２１に当該ＲＦ信号のスペクトラム画像を出力する。スペクトルアナライザ１３０は、ＲＦ信号切替リレー１１１から入力されるＲＦ信号の波形データを、ＧＰＩＢ等のシリアルポートで受信してもよいし、イーサネット（登録商標）ポートを用いて、イーサネット（登録商標）信号で受信してもよい。また、画面重畳回路１２１への出力についても同様である。
【００３６】
モニタ１４０は、画面重畳回路１２１により生成されたノード名称付き周波数スペクトラム画像データを表示する。変調器１５０は、画面重畳回路１２１により生成されたノード名称付き周波数スペクトラム画像データを変調して、ＣＡＴＶ網の下り回線を介してノード２００の復調器２０３に送信する。
【００３７】
モデム１６０は、信号切替制御器１２０のＣＰＵ１２３とノード２００の遠隔タッチパネル操作部２０２との間の通信をＣＡＴＶ網の上下回線を利用して行うためのものであり、ＣＰＵ１２３から出力される制御信号を変調する。また、ＣＰＵ１２３に入力されるノード情報等の信号を復調する。
【００３８】
ヘッドエンド側に設けられる遠隔制御装置２００は、モデム２０１、遠隔タッチパネル操作部２０２、復調器２０３、及びモニタ２０４を備える。モデム２０１は、信号切替制御器１２０のＣＰＵ１２３と遠隔タッチパネル操作部２０２との間の通信をＣＡＴＶ網の上下回線を利用して行うためのものであり、遠隔タッチパネル操作部２０２から出力されるノード情報等の信号を変調する。また、遠隔タッチパネル操作部２０２に出力される制御信号を復調する。
【００３９】
遠隔タッチパネル操作部２０２は、信号切替制御器１２０のタッチパネル操作部１２２と同様の機能を備える。ＣＡＴＶ網の管理者たるユーザは、遠隔タッチパネル操作部２０２からもノード情報の設定登録、ノード情報の変更、及び流合雑音の監視開始の指示等の操作を行うことができる。
【００４０】
復調器２０３は、信号切替制御器１２０の変調器１５０からＣＡＴＶ網の下り回線を介して受信したノード名称付き周波数スペクトラム画像データを復調し、モニタ２０４に出力する。モニタ２０４は、復調器２０３から入力されたノード名称付き周波数スペクトラム画像データを表示する。
【００４１】
次に、本発明の実施形態における有線通信網流合雑音監視装置及びシステムの使用例について説明する。ＣＡＴＶ網の管理者たるユーザは、タッチパネル操作部１２２または遠隔タッチパネル操作部２０２に、例えば図２に示すようなノードリスト編集画面を呼び出し、キーボード入力により、各ノードの名称を登録する。登録されたノード名称は、記憶部１２４に格納される。
【００４２】
次に、例えば図３に示すような自動画面を呼び出し、ノードリスト内のノード群から監視したいノードを複数選択登録する。この際、各ノードの監視時間、ノード監視順番、及びノード名称付記の有無も設定可能である。これらの設定も、記憶部１２４に格納される。次に、図４に示すようなメモリ名称登録画面を呼び出し、上記監視したいノード群を記憶させたグループの名称（メモリ名称）を登録する。登録されたグループ名称も、記憶部１２４に格納される。
【００４３】
その後は、ユーザがタッチパネル操作部１２２または遠隔タッチパネル操作部２０２の画面からグループ名称を選択することにより、当該グループに属するノード群、監視時間を再現表示させることができる。そして、当該グループに属するノードの変更（増減を含む）、ノードの監視順番の変更、ノード監視時間の変更、ノード名称の付記の設定変更を行うことができる。例えば、ノード監視時間は、過去に流合雑音発生の確率が高いノードのものを長くし、流合雑音発生の確率が低いノードのものを短くするといった設定が考えられる。また、監視目的によりノード監視時間を設定することも考えられる。例えば、通常点検の場合はノード監視時間を短くし、調査の場合はノード監視時間を長くするといった設定も可能である。
【００４４】
そして、ユーザがノードの自動監視を実行したい場合は、ユーザがタッチパネル操作部１２２または遠隔タッチパネル操作部２０２に、図３に示すような自動画面を呼び出し、グループ名称を指定して、スタートボタンを押下することにより、当該グループに属するノードの自動順次監視を実行することができる。このとき、予め指定された監視時間で、モニタ１４０またはモニタ２０４に表示される各ノードの周波数スペクトラム画像が切り替わる。このスペクトラム画像には、表示しているノードのノード名称が付される。なお、周波数スペクトラム画像にノード名称を付さない設定になっている場合は、ノード名称が付記されない。また、画面重畳回路１２１を設けてない監視装置の場合は、周波数スペクトラム画像にノード名称を付記することができない。
【００４５】
図５に記憶部１２４にグループ化されて登録されるノード群のテーブルの一例を示す。グループ名称及びノード名称は、ユーザ側で任意に付すことができる。図５において、グループ名称として例えば「点検」、「調査」、「把握」と名付けられたグループが登録されている。ノード名称として例えば「Ａ町」、「Ｂ町」等が登録されている。例えば、「点検」グループは、ノード「Ａ町」→「Ｐ町」→「Ｒ町」→「Ｕ町」→「Ｚ町」の監視順番で登録されている。各グループに属するノードは、必要に応じ増減可能である。
【００４６】
なお、上述した実施形態は、本発明の好適な実施形態の一例を示したものであり、本発明はそれに限定されることなく、その要旨を逸脱しない範囲内において種々変形実施が可能である。
【００４７】
上述の説明においては、タッチパネルによる操作の例を説明した。この点、タッチパネルの替わりにパーソナルコンピュータＰＣを用いてもよい。この場合、ユーザは、パソコンのディスプレイ、キーボードを利用して操作を行う。
【００４８】
また、上述の説明におけるスペクトラム画像を観測するためのモニタは、キャプチャ機能を持つタッチパネルを使用した場合は、タッチパネル画面から周波数スペクトラム画像を観測することができるため、設けなくてもよい。また、キャプチャカードを実装したＰＣを利用した場合も、設けなくてもよい。
【００４９】
また、上述の説明においては、モデム、変調器、及び復調器を用いて、ヘッドエンドとノードとの間をシリアル通信で結ぶ例を説明した。この点、伝送路をイーサネット（登録商標）にした場合には、モデム、変調器、及び復調器の替わりにメディアコンバータ等を使用する。伝送路をイーサネット（登録商標）にすることにより、スペクトラムアナライザの制御、及びスペクトラム画像データの保存等が可能になる。上記保存が可能になると、予めセットしたデータ値との比較により、警報信号を出力し、ユーザ（保安員）に通知すること等が可能となる。
【００５０】
【発明の効果】
以上の説明から明らかなように、請求項１記載の発明によれば、複数のノードから送信される複数の高周波信号から一つを選択する信号切替手段を、操作手段から監視する一つ以上のノード群、及びノード群の監視順番を予め記憶手段に登録し、指定制御手段が、ノード群、及び監視順番に従い信号切替手段に選択させる高周波信号の送信先であるノードを指定することにより、ユーザは、監視したいノード群のみを希望する順番で、そのノード群の流合雑音を監視することができ、監視作業を円滑に効率よく行うことができる。また、予め登録しておくことにより、監視作業中の操作も必要なく、取扱い性、操作性を向上させることができる。
【００５１】
請求項２記載の発明によれば、請求項１記載の発明の効果に加えて、操作手段から各ノードの監視時間を記憶手段に登録し、指定制御手段が信号切替手段に選択させる高周波信号の送信先であるノードを指定すると共に、監視時間も指定することにより、ユーザは、監視したいノード群のみを希望する順番、及び監視時間（切替時間）でそのノード群の流合雑音を監視することができ、監視作業を円滑に効率よく行うことができる。例えば、重点的に監視したいノードの監視時間を長く、その他のノードの監視時間を短くといったような設定も可能である。
【００５２】
請求項３記載の発明によれば、請求項１または２記載の発明の効果に加えて、操作手段からノード名称を記憶手段に登録し、指定制御手段が信号切替手段に選択させる高周波信号の送信先であるノードを指定すると共に、ノードに対応するノード名称を渡し、信号切替手段が指定されたノードからの高周波信号を選択する際、渡されたノード名称を画像重畳手段に送信し、画像重畳手段が、周波数スペクトル画像と、受信したノード名称とを重畳し、表示手段が、ノード名称付周波数スペクトル画像を表示することにより、ユーザは、流合雑音を周波数スペクトル画像で監視する際、リアルタイムにどのノードのものかを認識することができ、ユーザインタフェースに優れた装置を提供することができる。
【００５３】
請求項４記載の発明によれば、ヘッドエンド側に設けられ、有線通信網上の複数のノードから送信される複数の高周波信号に含まれる流合雑音を監視する有線通信網流合雑音監視装置の記憶手段に、ノード側に設けられ遠隔制御装置から有線通信網の第２の回線を利用して複数のノードから監視する一つ以上のノード群、及びノード群の監視順番を登録し、それに従って行った観測結果である周波数スペクトラム画像を有線通信網の第１の回線を利用して受信し表示することにより、ヘッドエンド側ではなく遠隔（ノード側）から、流合雑音の監視、流合雑音の監視作業の設定を行うことができる。
【００５４】
請求項５記載の発明によれば、請求項４記載の発明の効果に加えて、操作手段から各ノードの監視時間を記憶手段に登録し、指定制御手段が信号切替手段に選択させる高周波信号の送信先であるノードを指定すると共に、監視時間も指定することにより、ユーザは、監視したいノード群のみを希望する順番、及び監視時間（切替時間）でそのノード群の流合雑音を監視することができ、遠隔からも監視作業を円滑に効率よく行うことができる。
【００５５】
請求項６記載の発明によれば、請求項４または５記載の発明の効果に加えて、操作手段からノード名称を記憶手段に登録し、指定制御手段が信号切替手段に選択させる高周波信号の送信先であるノードを指定すると共に、ノードに対応するノード名称を渡し、信号切替手段が指定されたノードからの高周波信号を選択する際、渡されたノード名称を画像重畳手段に送信し、画像重畳手段が、周波数スペクトル画像と、受信したノード名称とを重畳し、表示手段が、画像送信手段、第１の回線、及び画像受信手段を介して受信したノード名称付周波数スペクトル画像を表示することにより、ユーザは、流合雑音を周波数スペクトル画像で監視する際、リアルタイムにどのノードのものかを認識することができ、ユーザインタフェースに優れた装置を提供することができる。
【図面の簡単な説明】
【図１】本発明の実施形態における有線通信網流合雑音監視システムの構成を示すブロック図である。
【図２】ノードリスト編集画面を示す図である。
【図３】自動画面を示す図である。
【図４】メモリ名称登録画面を示す図である。
【図５】ノード群のテーブルの一例を示す図である。
【符号の説明】
１００  有線通信網流合雑音監視装置
１１０  信号切替器（信号切替手段）
１１１  ＲＦ信号切替リレー
１１２  ＣＰＵ
１１３  記憶部
１１４  通信ＩＦ回路
１２０  信号切替制御器（信号切替制御手段）
１２１  画面重畳回路（画像重畳手段）
１２２  タッチパネル操作部（操作手段）
１２３  ＣＰＵ（指定制御手段）
１２４  記憶部（記憶手段）
１２５〜１２８  通信ＩＦ回路
１３０  スペクトラムアナライザ（観測手段）
１４０  モニタ（表示手段）
１５０  変調器（画像送信手段）
１６０  モデム（第１の通信手段）
２００  遠隔制御装置
２０１  モデム（第２の通信手段）
２０２  遠隔タッチパネル操作部（操作手段）
２０３  復調器（画像受信手段）
２０４  モニタ（表示手段）
【図１】
2004312409.tif 000003
【図２】
2004312409.tif 000004
【図３】
2004312409.tif 000005
【図４】
2004312409.tif 000006
【図５】
2004312409.tif 000007